(57)【要約】【課題】簡単な着用・取り外しが可能で、簡単、安価に製造できるワンタッチネクタイ。【解決手段】逆三角形状で背面側に左右に並列する２つの上下方向貫通孔部（９、１０）を有する芯体部（２）、スライドファスナーを構成する務歯（３）が一側縁の一端（４）から他端（５）にわたって配備されている一本のテープ素材（６）、ネクタイの小剣部（７）及び大剣部（８）からなる。２つの上下方向貫通孔部（９、１０）を上側から下側に向かって挿通したテープ素材（６）の務歯（３）を閉じるすべり金具（１２）の引手（１５）に芯体部（２）の下端側に形成されている孔（１４）を掛合し、閉じた務歯部（１３）が形成されているテープ素材（６）の一端（４）及び他端（５）に小剣部（７）の基端（７（ａ））を接続し、芯体部（２）の前面の上端側に形成されている突起（１６）に大剣部（８）の基端（８ａ）を接続する。【選択図】図１
2009249765.tif 000002
【特許請求の範囲】
【請求項１】
逆三角形状で、背面側に、左右に並列する２つの上下方向貫通孔部を供えている芯体部と、
スライドファスナーを構成する務歯が一側縁の一端から他端にわたって配備されている一本のテープ素材と、
ネクタイの小剣部と、
ネクタイの大剣部とからなり、
人間の首に装着されるネクタイであって、
前記テープ素材の一端と他端とが、前記務歯が配備されている一側縁を互いに対向させて、前記芯体部の２つの上下方向貫通孔部を上側から下側に向かってそれぞれ挿通することにより、前記テープ素材の前記芯体部の２つの上下方向貫通孔部の上側に残る部分が無端の首装着部を形成し、
前記２つの上下方向貫通孔部を上側から下側に向かって挿通した前記テープ素材の前記務歯がすべり金具によって閉じられて、前記テープ素材の前記一端及び他端にまでわたる閉じた務歯部が形成され、
閉じた務歯部が形成されている前記テープ素材の前記一端及び他端に前記ネクタイの小剣部の基端が接続され、
前記芯体部の下端側が前記すべり金具の前面側に配備されている引手に掛合され、
前記芯体部の前面の上端側に前記ネクタイの大剣部の基端が接続されている
ことを特徴とするワンタッチネクタイ。
【発明の詳細な説明】
【技術分野】
【０００１】
この発明はネクタイに関し、特に、首回りの大きさに関係なく、誰でも簡単に着用し、はずすことができるネクタイに関する。
【背景技術】
【０００２】
ネクタイは、１枚の繊維素材からなる細長状のものであって、一方の端部は幅広で、人間の首に着用した際に前方に現れる「前の垂れ（大剣）」と呼ばれ、他方の端部は幅が狭く、人間の首に着用した際に「前の垂れ（大剣）」の後ろに隠れる「背の垂れ（小剣）」と呼ばれる。
【０００３】
従来、ネクタイは、着用するたびごとに結び部を形成して人間の首に着用し、はずすときには、結び部を解いていた。そこで、着用、取り外しに複雑で不便であるという問題があった。また、人間の首に着用した際に前方に現れる「前の垂れ（大剣）」の部分の長さを所定の長さにすることが難しいという問題点があった。
【０００４】
そこで、従来から、このような問題の解決を目指して、ネクタイを、一方の幅広の端部で人間の首に着用した際に前方に現れる「前の垂れ（大剣）」と、他方の幅狭の端部で人間の首に着用した際に「前の垂れ（大剣）」の後ろに隠れる「背の垂れ（小剣）」とに分離し、結び具を利用して結びを簡単にし、簡単な着用・取り外しを可能にした「結び具を備えたネクタイ」が開発され普及している（特許文献１、２、３）。
【特許文献１】実開平５−３７９１５号公報
【特許文献２】登録実用新案第３０２３８０１号公報
【特許文献３】特開平１１−１５８７１６号公報
【発明の開示】
【発明が解決しようとする課題】
【０００５】
前述した特許文献１、２、３記載の発明はいずれも簡単な着用・取り外しを可能にするという点で効果を発揮できるものであったが、より簡単、安価に製造、提供するという点において改善する余地が残っていた。
【０００６】
この発明は、ネクタイを、一方の幅広の端部で人間の首に着用した際に前方に現れる「前の垂れ（大剣）」と、他方の幅狭の端部で人間の首に着用した際に「前の垂れ（大剣）」の後ろに隠れる「背の垂れ（小剣）」とに分離し、結び具を利用して結びを簡単にし、簡単な着用・取り外しを可能にしたネクタイであって、より簡単、安価に製造、提供することができるネクタイを提供することを目的にしている。
【課題を解決するための手段】
【０００７】
前記目的を達成するため、この発明が提案するネクタイは以下の通りのものである。
【０００８】
逆三角形状で、背面側に、左右に並列する２つの上下方向貫通孔部を供えている芯体部と、
スライドファスナーを構成する務歯（ティース）が一側縁の一端から他端にわたって配備されている一本のテープ素材と、
ネクタイの小剣部と、
ネクタイの大剣部とからなり、
人間の首に装着されるネクタイであって、
前記テープ素材の一端と他端とが、前記務歯（ティース）が配備されている一側縁を互いに対向させて、前記芯体部の２つの上下方向貫通孔部を上側から下側に向かってそれぞれ挿通することにより、前記テープ素材の前記芯体部の２つの上下方向貫通孔部の上側に残る部分が無端の首装着部を形成し、
前記２つの上下方向貫通孔部を上側から下側に向かって挿通した前記テープ素材の前記務歯（ティース）がすべり金具によって閉じられて、前記テープ素材の前記一端及び他端にまでわたる閉じた務歯（ティース）部が形成され、
閉じた務歯（ティース）部が形成されている前記テープ素材の前記一端及び他端に前記ネクタイの小剣部の基端が接続され、
前記芯体部の下端側が前記すべり金具の前面側に配備されている引手に掛合され、
前記芯体部の前面の上端側に前記ネクタイの大剣部の基端が接続されている
ことを特徴とするワンタッチネクタイ。
【発明の効果】
【０００９】
この発明によれば、ネクタイを、一方の幅広の端部で人間の首に着用した際に前方に現れる「前の垂れ（大剣）」と、他方の幅狭の端部で人間の首に着用した際に「前の垂れ（大剣）」の後ろに隠れる「背の垂れ（小剣）」とに分離し、結び具を利用して結びを簡単にし、簡単な着用・取り外しを可能にしたネクタイであって、より簡単、安価に製造、提供することができるネクタイを提供することができる。
【発明を実施するための最良の形態】
【００１０】
以下、添付図面を参照して本発明の好ましい実施形態を説明する。
【００１１】
図１に図示する本発明のネクタイ１は、芯体部２と、一本のテープ素材６と、ネクタイの小剣部７と、ネクタイの大剣部８とからなり、人間の首に装着されるものである。
【００１２】
芯体部２は、図３の上側に図示したように逆三角形状で、背面側に、左右に並列する２つの上下方向貫通孔部９、１０を備えている。
【００１３】
テープ素材６は、スライドファスナーを構成する務歯（ティース）３が一側縁の一端４から他端５にわたって配備されているものである。
【００１４】
テープ素材６の一端４と他端５とが、図２（ａ）、（ｂ）図示のように、務歯（ティース）３が配備されているテープ素材６の一側縁を互いに対向させて、芯体部２の２つの上下方向貫通孔部９、１０を上側から下側に向かってそれぞれ挿通することにより、テープ素材６の芯体部２の２つの上下方向貫通孔部９、１０の上側に残る部分が無端の首装着部１１を形成する。
【００１５】
２つの上下方向貫通孔部９、１０を上側から下側に向かって挿通したテープ素材６の務歯（ティース）３は、図３の下側に図示したように、すべり金具１２によって閉じられて、テープ素材６の一端４及び他端５にまでにわたる閉じた務歯（ティース）部１３が形成される（図２（ａ）、（ｂ））。
【００１６】
閉じた務歯（ティース）部１３が形成されているテープ素材６の一端４及び他端５に、ネクタイの小剣部７の基端７ａが接続される（図２（ａ）、（ｂ））。
【００１７】
芯体部２の下端側には、図３の上側に図示したように、孔１４が形成されており、この孔１４がすべり金具１２の前面側に配備されている引手１５に掛合されることによって、芯体部２の下端側がすべり金具１２の前面側に配備されている引手１５に掛合される。
【００１８】
芯体部２の前面の上端側には、図３の上側に図示したように、突起１６が形成されている。この突起１６に、図４図示のように、ネクタイの大剣部８の基端８ａが接続されることによって、芯体部２の前面の上端側にネクタイの大剣部８の基端８ａが接続されている。
【００１９】
この発明のネクタイ１を人の首に装着する場合には、まず、芯体部２の逆三角形状の形状を利用し、大剣部８を芯体部２に巻きつけて、芯体部２と大剣部８とにより、図１に符号１７で示されているようにネクタイの結び目を形成しておく。
【００２０】
次いで、人間の頭を首装着部１１の中に通し、首装着部１１をワイシャツなどの襟首の後ろに掛けまわす。
【００２１】
そして、すべり金具１２及び、下端側がすべり金具１２の引手１５に掛合されている芯体部２を矢印１８方向に移動させることによって首装着部１１の周長を大きくする、あるいは矢印１９方向に移動させることによって首装着部１１の周長を小さくする。こうして、首装着部１１の周長を、ネクタイ１を装着する首の太さに合わせる。
【００２２】
この場合、前述したように、ネクタイの結び目１７は、図１図示のように、予め形成されているので、人間の首に着用した際に前方に現れる「前の垂れ（大剣）」の部分の長さに変動を生じさせることなく、首装着部１１の周長を大きくしたり、小さくすることができる。
【００２３】
このように本発明のネクタイ１は、首装着部１１を人間の首に装着し、すべり金具１２及び、下端側がすべり金具１２の引手１５に掛合されている芯体部２を矢印１８あるいは矢印１９方向に移動させるだけで簡単に装着することのできるワンタッチネクタイである。
【００２４】
なお、テープ素材６の一端４と他端５とが、図２（ａ）、（ｂ）図示のように、務歯（ティース）３が配備されているテープ素材６の一側縁を互いに対向させて、芯体部２の２つの上下方向貫通孔部９、１０を上側から下側に向かってそれぞれ挿通しているので、矢印１８あるいは矢印１９方向に、すべり金具１２及び、下端側がすべり金具１２の引手１５に掛合されている芯体部２をスムーズに移動させることができる。
【００２５】
前述した芯体部２は、たとえば、合成樹脂製とすることができ、この下端側に、図３の上側に図示したように、すべり金具１２の前面側に配備されている引手１５に掛合される孔１４を形成し、前面の上端側に、ネクタイの大剣部８の基端８ａが接続される突起１６を形成する。
【００２６】
このように、本発明のネクタイ１は、逆三角形状で、背面側に、左右に並列する２つの上下方向貫通孔部９、１０を備えている芯体部２と、スライドファスナーを構成する務歯（ティース）３が一側縁の一端４から他端５にわたって配備されている一本のテープ素材６と、ネクタイの小剣部７と、ネクタイの大剣部８とからなるだけであり、前述したように合成樹脂製の芯体部２を準備し、芯体部２の２つの上下方向貫通孔部９、１０を上側から下側に向かって挿通したテープ素材６の務歯（ティース）３を閉じるすべり金具１２の引手１５に、芯体部２の下端側に形成されている孔１４を掛合し、閉じた務歯（ティース）部（１３）が形成されているテープ素材（６）の前記一端（４）及び他端（５）に、ネクタイの小剣部（７）の基端（７（ａ））を接続し、芯体部２の前面の上端側に形成されている突起１６にネクタイの大剣部８の基端８ａを接続するだけで提供することができる。
【００２７】
そこで、芯体部２を利用して結びを簡単にし、簡単な着用・取り外しを可能にし、簡単、安価に製造、提供できるワンタッチネクタイを提供できる。
【図面の簡単な説明】
【００２８】
【図１】人間の首に装着される状態になっている本発明のネクタイの正面図。
【図２】芯体部に大剣部が取り付けられていない状態における本発明のネクタイを表す図であって、（ａ）は正面図、（ｂ）は背面図。
【図３】本発明のネクタイにおいて、芯体部の下端側がすべり金具の引手に掛合される状態を説明する一部を省略し、一部を拡大して表す分解斜視図。
【図４】芯体部に大剣部が取り付けられ、結び部が形成されていない状態における本発明のネクタイを表す一部を省略した正面図。
【符号の説明】
【００２９】
１    ネクタイ
２    芯体部
３    務歯（ティース）
４    テープ素材の一端
５    テープ素材の他端
６    テープ素材
７    ネクタイの小剣部
７ａ  ネクタイの小剣部の基端
８    ネクタイの大剣部
８ａ  ネクタイの大剣部の基端
９、１０  芯体部に形成されている上下方向貫通孔部
１１  首装着部
１２  すべり金具
１３  閉じた務歯（ティース）部
１４  芯体部の前面の下側に形成されている孔
１５  すべり金具の引手
１６  芯体部の前面の上側に形成されている突起
１７  ネクタイの結び目
【図１】
2009249765.tif 000003
【図２】
2009249765.tif 000004
【図３】
2009249765.tif 000005
【図４】
2009249765.tif 000006